(57)【特許請求の範囲】
【請求項１】
本体と、
略鉛直方向にスライド可能であると共に、前記本体に収納されたときに前記本体の上面との間に所定の空間を確保し、かつ、略水平に配置された第１の支持部を有し、かつ、該第１の支持部の左右両端に同第１の支持部に対して略垂直に設けられた第１の鉛直部材と、該第１の鉛直部材間に回転自在に配置された第１の水平部材と、少なくとも前記第１の水平部材の両端に設けられた第１の係合部とを有する第１の棚体と、
該第１の棚体の略鉛直下方に位置すると共に、略鉛直方向にスライド可能であり、かつ、前記第１の支持部の略鉛直下方に位置すると共に同第１の支持部に対して略平行に位置する第２の支持部を有し、該第２の支持部が前記第１の支持部の下面に接触する位置まで略鉛直上方にスライド可能である第２の棚体とを備え、
前記本体は、前記第１の係合部と係合する第２の係合部を有し、
前記第１の棚体のスライドに伴って、前記第１の係合部と前記第２の係合部が係合した状態で前記第１の水平部材が回転する
昇降棚装置。
【請求項２】
前記第１の棚体と前記第２の棚体は、互いに独立してスライド可能である
請求項１に記載の昇降棚装置。
【請求項３】
前記第１の棚体は、前記第１の支持部の左右両端に同第１の支持部に対して略垂直に設けられた第１の鉛直部材と、該第１の鉛直部材間に回転自在に配置された第２の水平部材と、少なくとも前記第２の水平部材の両端に設けられた第３の係合部とを有し、
前記第２の棚体は、前記第２の支持部の左右両端に同第２の支持部に対して略垂直に設けられた第２の鉛直部材と、該第２の鉛直部材に設けられた第４の係合部とを有し、
前記第２の棚体のスライドに伴って、前記第３の係合部と前記第４の係合部が係合した状態で前記第２の水平部材が回転する
請求項１または請求項２に記載の昇降棚装置。
【請求項４】
前記第１の棚体を略鉛直上方へ付勢する弾性体を備える
請求項１〜３のいずれか１つに記載の昇降棚装置。
【請求項５】
前記第２の棚体の略鉛直下方へのスライドに与える抵抗力よりも小さい抵抗力を、前記第２の棚体の略鉛直上方へのスライドに与えるダンパー部を備える
請求項１〜４のいずれか１つに記載の昇降棚装置。
【請求項６】
前記第２の支持部は、複数の棒状物が所定の間隔で並列配置されて柵状に構成された
請求項１〜５のいずれか１つに記載の昇降棚装置。
【発明の詳細な説明】
【技術分野】
【０００１】
本発明は昇降棚装置に関する。詳しくは、例えば台所の吊り戸棚の下部に取付けられる昇降棚装置に係るものである。
【背景技術】
【０００２】
台所の上方の空間を有効に活用するために、流し台や作業台の上部に吊り戸棚や収納庫が配置されている。
【０００３】
吊り戸棚や収納庫は、流し台や作業台の上部に配置されているので、調理者などは、台や椅子などを使って食器などの収納物を出し入れすることが多い。
しかし、収納物を出し入れするたびに台や椅子などを使用しなければならない状況は不便であるので、収納物の出し入れを容易にするための装置が幾つか提案されている。
【０００４】
例えば特許文献１には、図６に示すような収納装置が記載されている。即ち、図６（ａ）に示すように、収納体１０１は、方形箱型体の上面と前面とが開口され、内部の中程に棚板１１１が架設され、棚板１１１と底板とで上下二段の収納棚構造が構成されている。
【０００５】
そして、収納体１０１の左右の側面部に、支持腕体１０２が枢着され、支持腕体１０２の先端部が設置脚部１０３に枢着され、図６（ｂ）に示すように、支持腕体１０２の回動により、棚Ａ内の底面に設置固定された左右一対の設置脚部１０３に対して収納体１０１が角度を変えずに出し入れするよう構成されている。
【先行技術文献】
【特許文献】
【０００６】
【特許文献１】特開２０００−５０９７４号公報
【発明の概要】
【発明が解決しようとする課題】
【０００７】
しかしながら、特許文献１に記載の収納装置は、図６（ｂ）から判るように、上下二段の収納体が回動により同時に、棚の前方即ち調理者側に出てくるので、調理作業のスペースを奪ってしまい、収納体を出したまま調理作業を行ないづらく、不便であった。
【０００８】
本発明は、以上の点に鑑みて創案されたものであり、調理作業スペースを奪うことのない昇降棚装置を提供することを目的とする。
【課題を解決するための手段】
【０００９】
上記の目的を達成するために、本発明の昇降棚装置は、本体と、略鉛直方向にスライド可能であると共に、前記本体に収納されたときに前記本体の上面との間に所定の空間を確保する第１の棚体と、該第１の棚体の略鉛直下方に位置すると共に、略鉛直方向にスライド可能である第２の棚体とを備える。
【００１０】
ここで、第１の棚体と第２の棚体は、略鉛直方向にスライド可能であるので、例えば吊り戸棚の下部に昇降棚装置を取付けて、昇降棚装置を使用したときでも、第１の棚体や第２の棚体は吊り戸棚の前方に出てくることがない。
なお、本発明で言う「スライド」は、棚体全体がスライドすることを意味する。
【００１１】
また、第１の棚体は、本体に収納されたときに本体の上面との間に所定の空間を確保するので、物を第１の棚体に置いた状態で第１の棚体を略鉛直上方へスライドさせて本体に収納でき、収納棚として機能することができる。
【００１２】
また、本発明の昇降棚装置において、第１の棚体と前記第２の棚体は、互いに独立してスライド可能とすることができる。
【００１３】
この場合、第１の棚体だけを使用したいときや、第２の棚体だけを使用したいときに、使用したい棚体のスペースのみの占有で足りるので、例えば吊り戸棚の下方スペースを無駄に占有することがない。
【００１４】
また、本発明の昇降棚装置において、第１の棚体は、略水平に配置された第１の支持部を有し、第２の棚体は、第１の支持部の略鉛直下方に位置すると共に第１の支持部に対して略平行に位置する第２の支持部を有し、第２の支持部が第１の支持部の下面に接触する位置まで略鉛直上方にスライド可能とすることができる。
【００１５】
この場合、第２の棚体は、第２の支持部が第１の支持部の下面に接触する位置まで略鉛直上方にスライド可能であるので、第２の支持部を第１の支持部の下面に接触させて第２の棚体の仮置きスペースをほぼゼロにした状態で第２の棚体を収納することができ、より省スペース化を実現できる。
【００１６】
また、本発明の昇降棚装置において、第１の棚体が、第１の支持部の左右両端に同第１の支持部に対して略垂直に設けられた第１の鉛直部材と、第１の鉛直部材間に回転自在に配置された第１の水平部材と、少なくとも第１の水平部材の両端に設けられた第１の係合部とを有し、本体が、第１の係合部と係合する第２の係合部を有し、第１の棚体のスライドに伴って、第１の係合部と第２の係合部が係合した状態で第１の水平部材が回転する構成とすることができる。
【００１７】
ここで、第１の係合部と第２の係合部が係合した状態で第１の水平部材が回転しながら第１の棚体がスライドすることによって、第１の棚体に与える力の偏りが解消され、第１の棚体の中央箇所を押したり引いたりしなくても、第１の棚体を略鉛直方向へスムースにスライドさせることができる。
【００１８】
更に、本発明の昇降棚装置において、第１の棚体が、第１の支持部の左右両端に同第１の支持部に対して略垂直に設けられた第１の鉛直部材と、第１の鉛直部材間に回転自在に配置された第２の水平部材と、少なくとも第２の水平部材の両端に設けられた第３の係合部材とを有し、第２の棚体が、第２の支持部の左右両端に同第２の支持部に対して略垂直に設けられた第２の鉛直部材と、第２の鉛直部材に設けられた第４の係合部とを有し、第２の棚体のスライドに伴って、第３の係合部と第４の係合部が係合した状態で第２の水平部材が回転する構成とすることができる。
【００１９】
ここで、第３の係合部と第４の係合部が係合した状態で第２の水平部材が回転しながら第２の棚体がスライドすることによって、第２の棚体に与える力の偏りが解消され、第２の棚体の中央箇所を押したり引いたりしなくても、第２の棚体を略鉛直方向へスムースにスライドさせることができる。
【００２０】
また、本発明の昇降棚装置が、第１の棚体を略鉛直上方へ付勢する弾性体を備える場合、第１の棚体に物を置いて重くなった第１の棚体を略鉛直上方へスライドして収納するときでも、弾性体の力で楽にスライドさせることができる。
【００２１】
また、本発明の昇降棚装置は、第２の棚体の略鉛直下方へのスライドに与える抵抗力よりも小さい抵抗力を、前記第２の棚体の略鉛直上方へのスライドに与えるダンパー部を備えることができる。
【００２２】
この場合、第２の棚体は、ダンパー部の抵抗力によってゆっくりと自重落下することができ、衝撃落下を抑止することができる。
【００２３】
また、本発明の昇降棚装置において、第２の支持部は、複数の棒状物が所定の間隔で並列配置されて柵状に構成されることができる。
【００２４】
この場合、例えば、水洗いされた食器を第２の支持部に仮置きしておけば、複数の棒状物の間から水滴が落ち、自然乾燥させることができる。
【００２５】
また、上記の目的を達成するために、本発明の昇降棚装置は、本体と、略鉛直方向にスライド可能に前記本体に取付けられた第１の棚体と、該第１の棚体の略鉛直下方に位置すると共に、同第１の棚体のスライドと独立して略鉛直方向にスライド可能である第２の棚体とを備える。
【００２６】
ここで、第１の棚体と第２の棚体は、略鉛直方向にスライド可能であるので、例えば吊り戸棚の下部に昇降棚装置を取付けて、昇降棚装置を使用したときでも、第１の棚体や第２の棚体は吊り戸棚の前方に出てくることがない。
【００２７】
また、第２の棚体が第１の棚体のスライドと独立して略鉛直方向にスライド可能であることによって、第１の棚体だけを使用したいときや、第２の棚体だけを使用したいときに、使用したい棚体のスペースのみの占有で足りるので、例えば吊り戸棚の下方スペースを無駄に占有することがない。
【００２８】
また、上記の目的を達成するために、本発明の昇降棚装置は、略鉛直方向にスライド可能であると共に、取付面との間に所定の空間を確保する第１の棚体と、該第１の棚体の略鉛直下方に位置すると共に、略鉛直方向にスライド可能である第２の棚体とを備える。
【００２９】
ここで、第１の棚体と第２の棚体は、略鉛直方向にスライド可能であるので、例えば吊り戸棚の下部に昇降棚装置を取付けて、昇降棚装置を使用したときでも、第１の棚体や第２の棚体は吊り戸棚の前方に出てくることがない。
【００３０】
また、第１の棚体は、取付面との間に所定の空間を確保するので、物を第１の棚体に置いた状態で第１の棚体を略鉛直上方へスライドさせることができ、収納棚として機能することができる。
【発明の効果】
【００３１】
本発明に係る昇降棚装置は、調理作業スペースを奪うことがない。
【図面の簡単な説明】
【００３２】
【図１】本発明の昇降棚装置の第１の棚体と第２の棚体が引き降ろされた状態の一例を示す概略図である。
【図２】本発明の昇降棚装置の概略透視図である。
【図３】本発明の昇降棚装置の第１の棚体のみが引き降ろされた状態の一例を示す概略図である。
【図４】本発明の昇降棚装置の第２の棚体のみが引き降ろされた状態の一例を示す概略図である。
【図５】本発明の昇降棚装置の第１の棚体と第２の棚体が本体に収納された状態の一例を示す概略図である。
【図６】従来の収納装置を示す概略図である。
【発明を実施するための形態】
【００３３】
以下、本発明の実施の形態について図面を参照しながら説明し、本発明の理解に供する。
図１は、本発明の昇降棚装置の第１の棚体と第２の棚体が引き降ろされた状態の一例を示す概略図である。また、図２は、本発明の昇降棚装置の概略透視図である。
【００３４】
図１において、本発明の昇降棚装置１は、内部に空洞が設けられた本体２を備える。
また、本発明の昇降棚装置１は、略鉛直方向にスライド可能であると共に、本体２に収納されたときに本体２の上面（即ち、本体２の上部の内壁面）２Ａとの間に所定の空間３Ａを確保する第１の棚体３を備える。
【００３５】
ここで、所定の空間３Ａとは、第１の支持部６と、第１の鉛直部材７と、背部８とに囲まれた空間であり、本体２に第１の棚体３が収納されても、本体２の内壁面に接触して狭められることはない空間である。
【００３６】
また、本発明の昇降棚装置１は、第１の棚体３の略鉛直下方に位置すると共に、略鉛直方向にスライド可能である第２の棚体４を備える。更に、本発明の昇降棚装置１は、本体２の表面に取付けられた照明部５を備える。
【００３７】
また、第１の棚体３は、略水平に配置された平板状の第１の支持部６と、第１の支持部６の両側に第１の支持部６に対して略垂直に固着された左右の第１の鉛直部材７を有して構成されている。なお、図２に示すように、第１の鉛直部材７は、略鉛直方向にスライド可能に本体２に取付けられている。また、第１の鉛直部材７が略鉛直方向にスライド可能であるということは、即ち第１の棚体３全体が略鉛直方向にスライド可能であることを意味する。
【００３８】
ここで、第１の鉛直部材７間には、回転可能な状態で第１の水平部材（シンクロバー）１３が配置されている。具体的には、第１の水平部材１３の端部を第１の鉛直部材７と回転自在な状態で係合させることで、第１の鉛直部材７間に第１の水平部材１３を配置している。
【００３９】
また、第１の水平部材１３の両端には歯１３Ａが設けられており、本体２の略鉛直方向に配置された内壁に沿ってラック１７が取り付けられている。なお、歯１３Ａは第１の係合部の一例であり、ラック１７は第２の係合部の一例である。
【００４０】
ここで、歯１３Ａとラック１７とは常に噛み合っており、第１の棚体３がスライドする場合には、歯１３Ａとラック１７とが噛み合った状態で第１の水平部材１３が回転することとなる。
【００４１】
また、第１の棚体３は、第１の支持部６や第１の鉛直部材７に対して略直角に固着された平板状の背部８を有する。そして、上述した様に、第１の支持部６と、左右の第１の鉛直部材７と、背部８とに囲まれた空間３Ａが形成され、この空間に台所用品などが配置される。
【００４２】
また、第１の支持部６の略中央には、仕切り板９が配置されている。更に、背部８には、先端部が対向するよう曲げられた一対の棒状体であるキッチンペーパーホルダー１０が取付けられている。
【００４３】
また、第２の棚体４は、第１の支持部６の略鉛直下方に位置すると共に第１の支持部６に対して略平行に位置する平面状の第２の支持部１１を有して構成されている。更に、第２の棚体４は、第２の支持部１１の両側に第２の支持部１１に対して略垂直に固着された左右の第２の鉛直部材１２を有して構成されている。
【００４４】
また、第２の支持部１１は、複数のバー（棒状物の一例である。）１１Ａが所定の間隔で並列配置されて柵状に構成されている。
【００４５】
また、図２に示すように、第２の鉛直部材１２は、略鉛直方向にスライド可能に第１の棚体に取付けられている。なお、第２の鉛直部材１２が略鉛直方向にスライド可能であるということは、即ち第２の棚体４全体が略鉛直方向にスライド可能であることを意味する。
【００４６】
ここで、第１の鉛直部材７間には、回転可能な状態で第２の水平部材（シンクロバー）１４が配置されている。具体的には、第２の水平部材１４の端部を第１の鉛直部材７と回転自在な状態で係合させることで、第１の鉛直部材７間に第２の水平部材１４を配置している。
【００４７】
また、第２の水平部材１４の両端には歯１４Ａが設けられており、第２の鉛直部材１２の裏面側にはラック１８が取り付けられている。なお、歯１４Ａは第３の係合部の一例であり、ラック１８は第４の係合部の一例である。
【００４８】
ここで、歯１４Ａとラック１８とは常に噛み合っており、第２の棚体４がスライドする場合には、歯１４Ａとラック１８とが噛み合った状態で第２の水平部材１４が回転することとなる。
【００４９】
また、第２の棚体４は、第２の支持部１１が第１の支持部６の下面に接触する位置まで略鉛直上方にスライド可能である。このような構造により、第２の棚体４は、第１の棚体３と共に本体２内に収納することができる。
【００５０】
更に、当然ながら、第１の棚体３や、第２の棚体４が抜け落ちないよう、ストッパー（図示せず。）などが適宜設けられている。
【００５１】
また、第１の棚体３や第２の棚体４が本体２内に収納されているときは、例えばラッチ（図示せず。）によって第１の棚体３や第２の棚体４は収納状態が維持されている。そして、第１の棚体３や第２の棚体４を略鉛直下方にスライドさせるときは、ラッチを外すこととなる。
【００５２】
更に、第１の棚体３の背部８には、本体２から延びると共に、第１の棚体３を略鉛直上方へ付勢するバネ（弾性体の一例である。）１６が接続されている。
【００５３】
また、第２の棚体４の略鉛直下方へのスライドに与える抵抗力よりも小さい抵抗力を、第２の棚体４の略鉛直上方へのスライドに与えるロータリーダンパー（ダンパー部の一例である。）１５が、第１の鉛直部材７の内壁に取付けられている。
【００５４】
ここで、ロータリーダンパー１５の歯１５Ａは、第２の鉛直部材１２に設けられたラック１８と常に噛み合っている。そのため、第２の棚体４のスライドに伴ってロータリーダンパー１５が回転することとなるが、第２の鉛直部材１２が略鉛直下方へスライドするとき即ち第２の棚体４が略鉛直下方へスライドするときの回転は、抵抗力が大きいので回転がゆっくりであり、第２の鉛直部材１２が略鉛直上方へスライドするとき即ち第２の棚体４が略鉛直上方へスライドする時の回転は抵抗力が小さいので回転が速い。
【００５５】
また、照明部５の内側には、電球１９が設置されている。なお、図２に示すように、照明カバー５Ａは、照明カバー５Ａの一部を軸に９０度回動することができる。
【００５６】
ここで、本発明の昇降棚装置は、本体と、略鉛直方向にスライド可能であると共に、本体に収納されたときに本体の上面との間に所定の空間を確保する第１の棚体と、第１の棚体の略鉛直下方に位置すると共に、略鉛直方向にスライド可能である第２の棚体とを備えるのであれば、必ずしも第１の水平部材や第２の水平部材を備えなくてもよい。
【００５７】
しかし、本発明の昇降棚装置が、第１の水平部材や第２の水平部材を備えていれば、第１の棚体や第２の棚体の略中央を押したり引いたりしなくても、第１の棚体や第２の棚体を略鉛直上方若しくは略鉛直下方へスムースにスライドさせることができる。また、仮に、第１の棚体や第２の棚体の一方の側を上方へ押したり、下方へ引いたりした場合であっても、第１の棚体や第２の棚体の他方の側も同調して上方や下方へ動き、両方の側を同じように扱うことができるので好ましい。
【００５８】
例えば、調理者が、第１の棚体、若しくは第２の棚体の一方の側付近で調理作業をしていて、急ぎ第１の棚体、若しくは第２の棚体を上方へ移動させなければならないときに、その場で一方の側を上方へ押すだけでよいので便利である。
特に、第１の棚体や第２の棚体の幅が広いときでも、調理者は、わざわざ第１の棚体や第２の棚体の略中央付近にまで移動しなくてもよく、便利である。
【００５９】
また、本発明の昇降棚装置は、本体と、略鉛直方向にスライド可能であると共に、本体に収納されたときに本体の上面との間に所定の空間を確保する第１の棚体と、第１の棚体の略鉛直下方に位置すると共に、略鉛直方向にスライド可能である第２の棚体とを備えるのであれば、必ずしも第１の棚体を略鉛直上方へ付勢するバネを備えていなくてもよい。
【００６０】
しかし、本発明の昇降棚装置が、第１の棚体を略鉛直上方へ付勢する弾性体を備えていれば、第１の棚体に物を置いて重くなった第１の棚体を略鉛直上方へスライドして収納するときでも、弾性体の力で楽にスライドさせることができるので好ましい。
【００６１】
また、本発明の昇降棚装置は、本体と、略鉛直方向にスライド可能であると共に、本体に収納されたときに本体の上面との間に所定の空間を確保する第１の棚体と、第１の棚体の略鉛直下方に位置すると共に、略鉛直方向にスライド可能である第２の棚体とを備えるのであれば、必ずしも第２の棚体の略鉛直下方へのスライドに与える抵抗力よりも小さい抵抗力を、第２の棚体の略鉛直上方へのスライドに与えるロータリーダンパーを備えていなくてもよい。
【００６２】
しかし、本発明の昇降棚装置が、第２の棚体の略鉛直下方へのスライドに与える抵抗力よりも小さい抵抗力を、第２の棚体の略鉛直上方へのスライドに与えるダンパー部を備えていれば、第２の棚体は、ダンパー部の抵抗力によってゆっくりと自重落下することができ、衝撃落下を抑止することができるので好ましい。
【００６３】
また、本発明の昇降棚装置は、本体と、略鉛直方向にスライド可能であると共に、本体に収納されたときに本体の上面との間に所定の空間を確保する第１の棚体と、第１の棚体の略鉛直下方に位置すると共に、略鉛直方向にスライド可能である第２の棚体とを備えるのであれば、必ずしも第２の支持部は、複数のバーが所定の間隔で並列配置されて柵状に構成されていなくてもよい。
【００６４】
しかし、第２の支持部は、複数の棒状物が所定の間隔で並列配置されて柵状に構成されていれば、水洗いされた食器を第２の支持部に仮置きしておけば、複数の棒状物の間から水滴が落ち、自然乾燥させることができるので好ましい。
【００６５】
ここで、第１の棚体３と第２の棚体４は、互いに独立してスライド可能であるので、本発明の昇降棚装置１は、図３や図４に示すような状態になることもできる。
【００６６】
即ち、図３は、本発明の昇降棚装置の第１の棚体のみが引き降ろされた状態の一例を示す概略図である。また、図４は、本発明の昇降棚装置の第２の棚体のみが引き降ろされた状態の一例を示す概略図である。また、図５は、本発明の昇降棚装置の第１の棚体と第２の棚体が本体に収納された状態の一例を示す概略図である。
【００６７】
図３に示すように、台所の吊り戸棚２０の下部に、本発明の昇降棚装置１を取付け、第１の棚体３のみを略鉛直下方にスライドさせて、第１の棚体３のみを本体から露出させることができる。
【００６８】
そして、第１の棚体３には、キッチンペーパーや調味料などの台所用品が置かれるので、通常は、図３のような状態で本発明の昇降棚装置１は使用される。
【００６９】
また、図４に示すように、吊り戸棚２０の下部に取付けられた本発明の昇降棚装置１の第１の棚体３は本体に収納させておき、第２の棚体４のみを略鉛直下方にスライドさせて、第２の棚体４のみを本体から露出させることもできる。
【００７０】
更に、来客時には、図５に示すように、第１の棚体３と第２の棚体４を本体に収納することもできる。
【００７１】
また、本実施の形態では、昇降棚装置が本体を備える場合を例に挙げて説明したが、略鉛直方向にスライド可能であると共に、取付面（例えば、吊り戸棚２０の底面）との間に所定の空間を確保する第１の棚体と、第１の棚体の略鉛直下方に位置すると共に、略鉛直方向にスライド可能である第２の棚体とを備えるのであれば、必ずしも本発明の昇降棚装置は本体を備えていなくてもよい。
【００７２】
以上のように、本発明の昇降棚装置は、第１の棚体と第２の棚体が、略鉛直方向にスライド可能であるので、昇降棚装置の使用時に、第１の棚体や第２の棚体は吊り戸棚の前方に出てくることがない。従って、本発明の昇降棚装置は、調理作業スペースを奪うことがなく、調理作業スペースを確保できる。
【００７３】
また、第１の棚体と第２の棚体は、互いに独立してスライド可能であるから、状況に応じて、第２の棚体は収納しておいて第１の棚体だけを引き降ろしたり、第１の棚体は収納しておいて第２の棚体だけを引き降ろしたりすることができる。
【００７４】
更に、第１の鉛直部材や第２の鉛直部材はそれぞれ、第１の支持部や第２の支持部に固着されており、第１の支持部や第２の支持部との接続点を軸に回動するものではないので、第１の支持部や第２の支持部に食器などを置いても、第１の鉛直部材や第２の鉛直部材が回動せず、よってグラつくことがない。
【００７５】
また、第１の鉛直部材や第２の鉛直部材はそれぞれ、第１の支持部や第２の支持部との接続点を軸に回動するものではないので、第１の棚体や第２の棚体が略鉛直方向にスライドするときでも、第１の鉛直部材や第２の鉛直部材は、第１の支持部や第２の支持部に対して動くことはなく、よって、第１の鉛直部材若しくは第２の鉛直部材と、第１の支持部若しくは第２の支持部との間に指などを挟むおそれもない。
【００７６】
また、本発明の昇降棚装置は、第１の棚体と第２の棚体という２段の棚体を備えているが、第２の棚体は、第２の支持部が第１の支持部の下面に接触する位置まで略鉛直上方にスライド可能であるから、第２の支持部を第１の支持部の下面に接触させて第２の棚体の仮置きスペースをほぼゼロにした状態で第２の棚体を収納することができ、第２の棚体の仮置きスペースを考慮して収納スペースを確保する必要がない。
【００７７】
また、第２の棚体は、最下段の棚であり、そして、吊り戸棚の下部に取付けられた本発明の昇降棚装置の第２の棚体の下方には通常、流し台が存在し、しかも第２の棚体の第２の支持部は、複数のバーが所定の間隔で並列配置されて柵状に構成されているので、水洗いした食器などを、第２の支持部に仮置きして自然乾燥させることができる。
【符号の説明】
【００７８】
１    昇降棚装置
２    本体
２Ａ  上面
３    第１の棚体
３Ａ  所定の空間
４    第２の棚体
５    照明部
５Ａ  照明カバー
６    第１の支持部
７    第１の鉛直部材
８    背部
９    仕切り板
１０    キッチンペーパーホルダー
１１    第２の支持部
１１Ａ  バー
１２    第２の鉛直部材
１３    第１の水平部材
１３Ａ  歯
１４    第２の水平部材
１４Ａ  歯
１５    ロータリーダンパー
１５Ａ  歯
１６    バネ
１７    ラック
１８    ラック
１９    電球
２０    吊り戸棚
【図１】
0005713653.tif 000002
【図２】
0005713653.tif 000003
【図３】
0005713653.tif 000004
【図４】
0005713653.tif 000005
【図５】
0005713653.tif 000006
【図６】
0005713653.tif 000007